(57)【特許請求の範囲】
【請求項１】
光透過性を有し、所定の回転軸を中心として回転可能なインナーレンズと、
光透過性を有し、前記インナーレンズの回転半径方向外側に所定の間隔を隔てて配置され所定の回転軸を中心として回転可能なアウターレンズと、
前記インナーレンズ及びアウターレンズを一体的又はそれぞれ独立して回転させる駆動源と、
前記アウターレンズの回転半径方向外側において前記アウターレンズから離間した位置に配置される拡散部材と、
前記インナーレンズに向けて光を照射する第一発光手段と、
前記アウターレンズに向けて光を照射する第二発光手段と、
を有し、
前記インナーレンズの回転軸の方向を上下方向とし、当該回転軸と直交する所定方向を前後方向としたとき、
前記第一発光手段は、前記インナーレンズの上方又は下方に配置され、且つ前記上下方向に沿って前記インナーレンズを透過する光を照射する構成となっており、
前記第二発光手段は、前記アウターレンズの後方において前記アウターレンズの周壁部と対向して配置され且つ前記アウターレンズ及び前記インナーレンズを透過するように前方側に光を照射する構成となっており、
前記第一発光手段から前記インナーレンズに向けて照射された光、及び前記第二発光手段から前記アウターレンズに向けて照射された光が、少なくとも前記アウターレンズの周方向における所定範囲内で前記拡散部材を介して外部に照射される構成となっていることを特徴とする光装飾装置。
【請求項２】
前記インナーレンズの軸線方向の一端側は複数に分割され、それらの分割面部が前記インナーレンズの回転軸を囲んで配置されており、
少なくとも隣り合う前記分割面部の前記軸線方向での高さが異なっており、
前記インナーレンズの回転に応じて、前記第一発光手段の光が前記分割面部に照射することを特徴とする請求項１に記載の光装飾装置。
【請求項３】
複数の前記分割面部は、前記インナーレンズの回転軸を中心とする周方向において所定の起点位置から１周の範囲で、前記周方向に進むにつれて漸次高さが大きく又は小さくなる螺旋階段状となっていることを特徴とする請求項２に記載の光装飾装置。
【請求項４】
前記アウターレンズの外側には、少なくとも前記アウターレンズの回転半径方向外側の位置で前記第二発光手段を保持する保持部材が設けられ、
前記第二発光手段は、前記アウターレンズの回転半径方向外側において前記アウターレンズの外周面を構成する周壁部と対向して配置され且つ前記アウターレンズを透過して前記アウターレンズに対し当該第二発光手段側とは反対側に光を照射する構成となっており、
前記保持部材には、前記アウターレンズの周方向において前記第二発光手段の両側の位置に、前記アウターレンズの前記周壁部に向かって凸となる一対のリブが形成されていることを特徴とする請求項１から請求項３のいずれか一項に記載の光装飾装置。
【請求項５】
前記一対のリブの前記第二発光手段側の内面は、白色面又は鏡面として構成されていることを特徴とする請求項４に記載の光装飾装置。
【請求項６】
前記拡散部材は、前記アウターレンズの周囲に少なくとも部分的に配置されるシート状に形成され、且つ前記アウターレンズの回転軸の方向に対して傾斜した凹状又は凸状の線状部が、所定間隔ごとに形成されており、
前記線状部は、前記アウターレンズの回転方向に進むにつれて下位置となるように傾斜していることを特徴とする請求項１から請求項５のいずれか一項に記載の光装飾装置。
【発明の詳細な説明】
【技術分野】
【０００１】
本発明は、光装飾装置に関するものである。
【背景技術】
【０００２】
アミューズメントの分野では、炎などを模して表現する装飾装置が知られている。例えば、特許文献１で開示される光装飾装置は、複数の発光素子３１〜３３を配列した発光部４と、発光素子に対向した表面に微細な光反射部材が形成された回転可能な円筒状部材２と、円筒状部材２の表面で反射した光を拡散させるリアースクリーン部５とを備えており、リアースクリーン部５で炎を表現している。
【先行技術文献】
【特許文献】
【０００３】
【特許文献１】特開２００９−９２６号公報
【発明の概要】
【発明が解決しようとする課題】
【０００４】
しかしながら、特許文献１の構成は、単に下側に配置された複数の発光素子の光のみを円筒状部材２で反射してスクリーンに投射する構成であるため、単調な光装飾となってしまう虞がある。また、分散配置された発光素子からのそれぞれの光を円筒状部材２の外周面で反射してそのままスクリーンに投射するため、スクリーンで光のムラが生じる虞もある。
【０００５】
本発明は、上述した課題を解決するためになされたものであり、極端な光のムラが生じにくく、より複雑な光装飾が可能な光装飾装置を提供することを目的とする。
【課題を解決するための手段】
【０００６】
本発明は、光透過性を有し、所定の回転軸を中心として回転可能なインナーレンズと、
光透過性を有し、前記インナーレンズの回転半径方向外側に所定の間隔を隔てて配置され所定の回転軸を中心として回転可能なアウターレンズと、
前記インナーレンズ及びアウターレンズを一体的又はそれぞれ独立して回転させる駆動源と、
前記アウターレンズの回転半径方向外側において前記アウターレンズから離間した位置に配置される拡散部材と、
前記インナーレンズに向けて光を照射する第一発光手段と、
前記アウターレンズに向けて光を照射する第二発光手段と、
を有し、
前記インナーレンズの回転軸の方向を上下方向とし、当該回転軸と直交する所定方向を前後方向としたとき、
前記第一発光手段は、前記インナーレンズの上方又は下方に配置され、且つ前記上下方向に沿って前記インナーレンズを透過する光を照射する構成となっており、
前記第二発光手段は、前記アウターレンズの後方において前記アウターレンズの周壁部と対向して配置され且つ前記アウターレンズ及び前記インナーレンズを透過するように前方側に光を照射する構成となっており、
前記第一発光手段から前記インナーレンズに向けて照射された光、及び前記第二発光手段から前記アウターレンズに向けて照射された光が、少なくとも前記アウターレンズの周方向における所定範囲内で前記拡散部材を介して外部に照射される構成となっていることを特徴とする。
【発明の効果】
【０００７】
本発明では、所定の回転軸を中心として回転可能な光透過性を有するインナーレンズ及びアウターレンズを設けており、第一発光手段によりインナーレンズに向けて光を照射し、第二発光手段によりアウターレンズに向けて光を照射する構成となっている。このように、内外に二種類のレンズを設け、各レンズに対して別々の発光手段により光を当てているため、インナーレンズとアウターレンズとで異なる装飾態様を生じさせることができる。特に、このように各レンズからのそれぞれ別種の光が、拡散部材の所定領域（周方向所定範囲内）を通って拡散しつつ外部に照射されるため、この所定範囲内では、二種類の光が混ざり合ったより複雑な光が発生することになる。
【０００８】
また、本発明では、前記インナーレンズの軸線方向の一端側は複数に分割され、それらの分割面部が前記インナーレンズの回転軸を囲んで配置されており、少なくとも隣り合う前記分割面部の前記軸線方向での高さが異なっており、前記インナーレンズの回転に応じて、前記第一発光手段の光が前記分割面部に照射する構成となっていてもよい。この構成では、インナーレンズの回転に応じて、第一発光手段からの光が複数の分割面部にそれぞれ入射することになる。従って、インナーレンズ側では、異なる高さで第一発光手段からの光の反射光或いは屈折光を生じさせることができる。つまり、異なる高さの分割面（分割面部の外面）が複数あるため、光が拡散或いは屈曲する位置を多数設定することができ、発光態様を多様化することができる。
【０００９】
この場合、例えば、複数の前記分割面部は、前記インナーレンズの回転軸を中心とする周方向において所定の起点位置から１周の範囲で、前記周方向に進むにつれて漸次高さが大きく又は小さくなる螺旋階段状となっていてもよい。この構成では、インナーレンズの上面部に高さの異なる分割面（分割面部の外面）をより多く生じさせることができ、一層複雑な表示が可能となる。
【００１０】
また、本発明では、前記アウターレンズの外側には、少なくとも前記アウターレンズの回転半径方向外側の位置で前記第二発光手段を保持する保持部材が設けられ、前記第二発光手段は、前記アウターレンズの回転半径方向外側において前記アウターレンズの外周面を構成する周壁部と対向して配置され且つ前記アウターレンズを透過して前記アウターレンズに対し当該第二発光手段側とは反対側に光を照射する構成となっており、前記保持部材には、前記アウターレンズの周方向において前記第二発光手段の両側の位置に、前記アウターレンズの前記周壁部に向かって凸となる一対のリブが形成されていてもよい。この構成では、第二発光手段からの光をアウターレンズの周壁部に照射し、アウターレンズを透過させるように反対側に装飾光を生じさせることができる。特に、一対のリブを第二発光手段の幅方向両側に配置しているため、第二発光手段からの光をよりアウターレンズ側に集中させて照射することができる。
【００１１】
この場合、例えば前記一対のリブの前記第二発光手段側の内面は、白色面又は鏡面として構成されているとよい。この構成によれば、第二発光手段からの光が横に漏れ出すことを抑えて、よりアウターレンズ側に光を集めることができる。
【００１２】
また、本発明では、前記インナーレンズの回転軸の方向を上下方向とし、当該回転軸と直交する所定方向を前後方向としたとき、前記第一発光手段は、前記インナーレンズの上方又は下方に配置され、且つ前記上下方向に沿って前記インナーレンズを透過する光を照射する構成となっており、前記第二発光手段は、前記アウターレンズの後方において前記アウターレンズの周壁部と対向して配置され且つ前記アウターレンズ及び前記インナーレンズを透過するように前方側に光を照射する構成となっているとよい。このようにすることで、向きが大きく異なる第一発光手段及び第二発光手段からの光をインナーレンズ及びアウターレンズ付近に集めつつそれぞれ照射させ、より複雑な光を生じさせやすくなる。
【００１３】
また、本発明では、前記拡散部材は、前記アウターレンズの周囲に少なくとも部分的に配置されるシート状に形成され、且つ前記アウターレンズの回転軸の方向に対して傾斜した凹状又は凸状の線状部が、所定間隔ごとに形成されており、前記線状部は、前記アウターレンズの回転方向に進むにつれて下位置となるように傾斜しているとよい。このようにすることで、アウターレンズの回転に応じて線状部への光の入射位置、入射高さ等が変化させることができ、光の揺らぎや緩やかな移動を生じさせやすくなる。
【図面の簡単な説明】
【００１４】
【図１】図１は、本発明の第１実施形態に係る光装飾装置を例示する斜視図である。
【図２】図２は、図１の光装飾装置の正面図である。
【図３】図３は、図２のＡ−Ａ断面を概略的に示す概略断面図である。
【図４】図４は、図２のＢ−Ｂ断面を概略的に示す概略断面図である。
【図５】図５は、図１の光装飾装置の分解斜視図である。
【図６】図６は、図５とは異なる方向から見た分解斜視図である。
【図７】図７は、図４からインナーレンズを省略して示した図である。
【図８】図８は、図１の光装飾装置に用いられる拡散シートを展開して示す図である。
【図９】図９は、本発明の第２実施形態に係る光装飾装置を例示する斜視図である。
【図１０】図１０は、図９の光装飾装置に用いられる拡散シートを展開して示す図である。
【発明を実施するための形態】
【００１５】
[第１実施形態]
以下、本発明に係る光装飾装置を具現化した第１実施形態について、図面を参照して説明する。
図１に示す光装飾装置１は、遊技機やゲーム機などのアミューズメント装置や、店舗などに設置される装飾物などとして構成されるものであり、複数の発光手段からの光を回転する複数のレンズ体で変化させることにより例えば現実の炎に近い表示を行い得るように構成されている。
【００１６】
光装飾装置１は、主に、光透過性を有するインナーレンズ２０と、光透過性を有すると共にインナーレンズ２０の外側に所定の間隔を隔てて配置されるアウターレンズ３０とを備え、所定の回転軸Ａ１を中心として回転可能に構成された回転体３と、回転軸Ａ１を中心として回転体３を回転させる駆動源７と、回転体３の回転半径方向外側において回転体３から離間した位置に配置されるシート状の拡散部材としての拡散シート５と、インナーレンズ２０に向けて光を照射する第一発光手段としての第一光源部１１と、アウターレンズ３０に向けて光を照射する第二発光手段としての第二光源部１２と、を有している。そして、第一光源部１１からインナーレンズ２０に向けて照射された光、及び第二光源部１２からアウターレンズ３０に向けて照射された光が、少なくとも回転体３の周方向における所定範囲内で拡散シート５を介して当該光装飾装置１の外部に照射される構成となっている。「所定範囲」は、様々に設定できるが、例えば、ケース２を外したときに正面側（前方側）から視認できる範囲（拡散シート５において、回転軸Ａ１よりも前位置の範囲）であってもよく、これよりも狭い範囲、或いは広い範囲であってもよい。
【００１７】
なお、本構成では、回転軸Ａ１の方向を上下方向とし、回転体３の回転軸Ａ１と直交する所定方向を前後方向とし、回転軸Ａ１の方向及び前後方向と直交する方向を幅方向とする。具体的には、第二光源部１２を構成する発光素子１２ａの発光面と直交する方向が前後方向となっており、第二光源部１２と回転体３が向かい合う方向が前後方向となっている。また、回転軸Ａ１の方向が軸線方向の一例に相当する。なお、本構成では、回転軸Ａ１（回転軸線）が、インナーレンズ２０の回転軸にもなっており、アウターレンズ３０の回転軸にもなっている。
【００１８】
光装飾装置１の外殻をなすケース２は、透明な上ケース２ａと、この上ケース２ａの下に配置される下ケース２ｂと、この下ケース２ｂの下側を閉塞する底壁部２ｃとによって構成されている。図３のように、下ケース２ｂは、後述する回転体３を回転可能に支持する部分であり、具体的には、後述する駆動源７を収容しつつ保持することで、この駆動源７によって回転体３の下端側を支持している。また、上ケース２ａは、回転体３及び拡散シート５を取り囲むと共に、回転体３の上端側を回転可能に支持している。なお、図１では、上ケース２ａの上壁部を省略して示している。
【００１９】
図３、図５、図６のように、本構成では、回転体３の中心をなすインナーレンズ２０及びアウターレンズ３０の上端部に連結される構成で円板状の上方連結部３３が設けられており、インナーレンズ２０及びアウターレンズ３０の下端部に連結される構成で光透過性を有する円板状の下方連結部３７が設けられている。そして、上方連結部３３には回転体３の回転軸Ａ１の方向に沿って上方に軸部３ａが突出しており、この軸部３ａが上ケース２ａの上壁部によって回転可能に支持されている。また、下方連結部３７には回転体３の回転軸Ａ１の方向に沿って下方に軸部３ｂが突出しており、この軸部３ｂが下ケース２ｂの上壁部に回転可能に支持され、回転体３がケース２に回転可能に支持される。そして、この軸部３ｂに下ケース２ｂに収容された駆動源７の駆動軸７ａが連結されている。
【００２０】
回転体３は、全体として円柱状に構成されており、回転軸Ａ１付近の中心部には、光透過性を有する上下に長いインナーレンズ２０が配置されている。また、インナーレンズ２０の外側には、インナーレンズ２０の周壁部の周囲を所定の間隔を隔てて取り囲むように光透過性のアウターレンズ３０が配置されている。
【００２１】
インナーレンズ２０は回転軸Ａ１付近が空洞状の中空形状となっており、下端部に所定の間隔で形成された突起が上述の下方連結部３７に形成された透孔に嵌合して連結されている。また、インナーレンズ２０の上端部は、図３に示すように上方連結部３３に固定されることなく、上方連結部３３の下方にある程度の距離を隔てて配置されている。
【００２２】
図４及び図５に示すように、インナーレンズ２０の上面部２２は平面視した形状が回転軸Ａ１を中心とする円環状となっており、図４のように平面視したときの上面部２２の内縁部及び上面部２２の外縁部は、回転軸Ａ１を中心とする円形となっている。
【００２３】
そして、図３、図４、図５、図６のように、インナーレンズの一端側（上端側）に設けられた上面部２２は、複数に分割され、それら分割された各部分（分割上面部２２ａ）が回転軸Ａ１を囲んで環状に並ぶように配置されている。そして、複数の分割上面部２２ａは、「分割面部」の一例に相当し、高さ及び回転軸Ａ１に対する傾斜状態がそれぞれ異なっており、回転体３の回転に応じて、複数の分割上面部２２ａが第一光源部１１の投光経路を順番に通るように回転する構成となっている。具体的には、複数の分割上面部２２ａは、回転軸Ａ１を中心とする周方向に進むにつれて高さが漸次大きく又は小さくなる螺旋階段状となっている。
【００２４】
アウターレンズ３０は、インナーレンズ２０が内部に収容される中空筒形状となっており、下端部は下面に形成された突起が上述の下方連結部３７に形成された切欠きに嵌合して連結され、上端部が環状蓋３５を介して上述の上方連結部３３に連結されている。具体的には、アウターレンズ３０は、３つの炎アウター（３つの要素部材３０ａ、３０ｂ、３０ｃ）を環状蓋３５に接着して一体化した構成となっている。そして、この環状蓋３５の上面に形成された突起が上方連結部３３に形成された切欠きに嵌合して連結されている。なお、このようにせずに、環状蓋３５を省略し、環状蓋３５の突起に相当する部分を３つの炎アウター（３つの要素部材３０ａ、３０ｂ、３０ｃ）に設けて、３つの要素部材３０ａ、３０ｂ、３０ｃを直接上方連結部３３と連結するようにしてもよい。
【００２５】
また、アウターレンズ３０の外周面を構成する周壁部３２は、多数の凹凸により複雑な形状に形成されており、この凹凸としては、例えば回転軸Ａ１の方向に対して傾斜した溝状の部分や、山状の部分などにより形成されている。なお、本実施形態では、アウターレンズ３０は３つの要素部材３０ａ、３０ｂ、３０ｃにより構成され、互いに組み付けることにより中空筒形状としている。
【００２６】
図３等に示すように、回転体３を駆動する駆動源７は、駆動軸７ａ（回転軸部）を回転可能な公知のモータによって構成されており、例えば、駆動軸７ａの上方に連結される回転体３を定常回転するように構成されている。
【００２７】
図３、図５、図６、図７のように、第一光源部１１は、複数の発光素子１１ａ（例えば赤色のＬＥＤ）によって構成されており、インナーレンズ２０を透過するようにインナーレンズ２０の下方に配置され、インナーレンズ２０に向けて上方側に光を照射する構成となっている。これら発光素子１１ａは、中心部に孔部３９が形成された円形状の基板Ｂ１の上面部に実装されており、いずれも発光面を上方側（インナーレンズ２０側）に向けた構成で配置されている。
【００２８】
これら発光素子１１ａは、図７のように回転軸Ａ１を中心とする周方向に所定の間隔で環状に並んでおり、いずれも上方側に光を照射するようになっている。インナーレンズ２０は、このように環状に配置された発光素子１１ａの円形配列の上方に下方連結部３７を介して位置しており、回転体３がどの回転位置にあるときでも、全ての発光素子１１ａとインナーレンズ２０の下端面とが常に対向するようになっている。また、基板Ｂ１は、下ケース２ｂ内の所定位置に形成された凹部に収容されてビス等により固定され、基板Ｂ１の孔部３９に下方連結部３７の軸部３ｂが挿入される構成で配置されている。
【００２９】
図３、図５、図６、図７のように、第二光源部１２は、複数の発光素子１２ａ（例えば赤色のＬＥＤ）によって構成されており、回転体３の後方においてアウターレンズ３０の周壁部３２と対向するように所定の間隔離間して配置され且つアウターレンズ３０を透過するように前方側に光を照射する構成となっている。図３、図４に示すように、回転体３の後方側には、上下に延びると共に前後方向を厚さ方向とする縦長の基板Ｂ２が配置されており、この基板Ｂ２の前面側に複数の発光素子１２ａが実装されている。図４、図５に示す例では、複数の発光素子１２ａが基板Ｂ２に２列に千鳥状に配列されており、いずれの発光素子１２ａも、アウターレンズ３０の周壁部３２に向けて光を照射するようになっている。また、基板Ｂ２は、下ケース２ｂ上面の所定位置にビス等により固定される基板取付部材１５（基板取付部材１５は、保持部材の一例に相当）に設けられる。なお、基板取付部材１５に対する基板Ｂ２の取り付けは、ビス等の連結部材によって固定してもよく、接着剤等の接着媒体によって固定してもよい。或いは、基板取付部材１５に形成された突起等を基板Ｂ２に嵌合させるような固定構造であってもよい。図３、図４のように、基板取付部材１５は、上下に長手状に延びると共にアウターレンズ３０の周壁部３２と対向した形態で下ケース２ｂに固定されており、基板Ｂ２の幅方向両側において基板Ｂ２を支持する支持板から前方側（アウターレンズ３０側）に向かって一対のリブ１３，１４が略平行に突出している。
【００３０】
第二光源部１２の幅方向両側には前後方向に沿って凸となる上述の一対のリブ１３，１４が配置されている。図３、図４、図５のように、これらリブ１３，１４は、幅方向を厚さ方向とする形態で板状に構成されており、基板Ｂ２を支持する壁部の両側から前方側に突出し、先端部が第二光源部１２全体よりも前位置となるように配置されている。また、リブ１３，１４は、アウターレンズ３０の上下領域のほぼ全体にわたって配置されており、リブ１３，１４の間は、上下に延びると共に後方側に凹む溝として構成されている。このように構成されるリブ１３，１４の間に基板Ｂ２と各発光素子１２ａとが収容されており、各発光素子１２ａは、リブ１３，１４の間から両リブの先端部に形成された開口を介して前方側のアウターレンズ３０に向けて光を照射している。
【００３１】
なお、一対のリブ１３，１４の第二光源部１２側の内面は、白色面又は鏡面として構成されているとよい。この構成によれば、第二発光手段からの光が横に漏れ出すことを抑えて、よりアウターレンズ３０側に光を集めることができる。
【００３２】
このように、第一光源部１１は、回転体３の下方に配置され、且つ上下方向に沿ってインナーレンズ２０を透過する光を照射する構成となっており、第二光源部１２は、回転体３の回転半径方向外側（具体的には回転体３の後方）においてアウターレンズ３０の外周面を構成する周壁部３２と対向して配置されている。そして、この第二光源部１２は、アウターレンズ３０及びインナーレンズ２０を透過するように、アウターレンズ３０に対して第二光源部１２側とは反対側（即ち前方側）に光を照射する構成となっている。
【００３３】
拡散シート５は、光透過性の材料によって構成されており、シート内を透過しようとする光を拡散させるように構成されている。この拡散シート５は、回転体３の半径方向外側に所定の間隔離れた位置において回転体３の周囲を囲むように環状且つ円筒状に配置されている。図１、図３、図４のように、回転体３の周壁部（即ち、アウターレンズ３０の周壁部３２）と拡散シート５の内周面（内側の円筒面）の間には、ある程度の隙間が構成されている。
【００３４】
そして、図８のように、この拡散シート５のシート面には、回転軸Ａ１の方向に対して傾斜した凹状又は凸状の線状部５ａが、所定間隔ごとに形成されており、線状部５ａは、回転体３の回転方向に進むにつれて下位置となるように傾斜している。この線状部５ａは、円筒状に構成される拡散シート５の内面側に形成されていてもよく、外面側に形成されていてもよい。また、このような線状部５ａは、例えばローレット加工などによって構成するとよい。
【００３５】
このように構成される光装飾装置１では、モータとして構成される駆動源７が駆動されることで、回転体３が回転する。このとき、第二光源部１２から前方側のアウターレンズ３０に向かって光が照射されるため、この光がアウターレンズ３０に形成された多数の複雑な形状の凹凸で反射したり屈折したりする光により、炎が燃え上がる様を表現することができる。一方、第一光源部１１から上方側に照射された光は、インナーレンズ２０における各分割上面部２２ａに照射され、少なくとも各分割上面部２２ａ付近を光らせるように作用する。このように高さの異なる各分割上面部２２ａ付近が光る態様となり、これら分割上面部２２ａは、回転体３の回転に伴って周方向に回転することになるため、これら高さの異なる分割上面部２２ａにより火の粉が立ち上る様を表現することができる。上記二態様により、恰も本物の炎がメラメラ燃える様を表現することができる。
【００３６】
また、駆動源７による回転体３の回転は、一定の回転速度であってもよいが、例えば、回転速度を変化させることにより、炎の勢いを変化させて表示することができる。更に、このような光装飾装置１をパチンコ機等の遊技機の枠体や装飾役物に設け、炎の勢いを変化させることにより、遊技機の告知装飾（信頼度の表示）として使用することができる。例えばある条件下では、第一の回転速度で回転体３を回転させ、告知装飾を行うべき第二条件下では、これよりも早い第二の回転速度で回転体３を回転させることで、告知装飾時に勢いを増大させる装飾が可能となり、遊技者の期待感を一層高めることができる。
【００３７】
（本構成の主な効果）
本構成では、所定の回転軸Ａ１を中心として回転可能に構成された回転体３において、光透過性を有するインナーレンズ２０及びアウターレンズ３０を設けており、第一光源部１１によりインナーレンズ２０に向けて光を照射し、第二光源部１２によりアウターレンズ３０に向けて光を照射する構成となっている。このように、内外に二種類のレンズを設け、各レンズに対して別々の発光手段により光を当てているため、インナーレンズ２０とアウターレンズ３０とで異なる装飾態様を生じさせることができる。そして、このように各レンズからのそれぞれ別種の光を拡散シート５で拡散するため、より複雑な光を発生させることが可能となる。
【００３８】
また、回転軸Ａ１の方向を上下方向としたとき、インナーレンズ２０の上面部２２は複数に分割され、それらの分割上面部２２ａが回転軸Ａ１を囲んで配置されており、少なくとも複数の分割上面部２２ａの高さがそれぞれ異なっており、回転体３の回転に応じて、複数の分割上面部２２ａが第一光源部１１の投光経路を順番に通るように回転する構成となっている。この構成では、回転体３の回転に応じて、第一光源部１１からの光が複数の分割上面部２２ａに順番に入射することになる。従って、インナーレンズ２０側では、異なる高さで第一光源部１１からの光の反射光或いは屈折光を生じさせることができ、高さの異なる装飾光を順次発生させることができる。
【００３９】
また、複数の分割上面部２２ａは、例えば所定の起点位置から１周の範囲で、回転軸Ａ１を中心とする周方向に進むにつれて高さが順番に大きく又は小さくなる螺旋階段状となっている。例えば、複数の分割上面部２２ａの内、高さの最も低い分割上面部２２ａの位置を起点位置とした場合、この起点位置（高さの最も低い分割上面部２２ａ）から１周の範囲で、上方から見て周方向に時計回りに進むにつれて高さが順番に大きくなる螺旋階段状となっている。この構成では、インナーレンズ２０の上面部２２に高さの異なる反射面ないし屈折面をより多く生じさせることができ、一層複雑な表示が可能となる。
【００４０】
また、回転体３の回転軸Ａ１と直交する所定方向を前後方向とし、回転軸Ａ１の方向及び前後方向と直交する方向を幅方向としたとき、第二光源部１２は、回転体３の後方においてアウターレンズ３０の周壁部３２と対向して配置され且つアウターレンズ３０を透過するように前方側に光を照射する構成となっており、第二光源部１２の幅方向両側には前後方向に沿って凸となる一対のリブ１３，１４が配置されている。この構成では、第二光源部１２からの光をアウターレンズ３０の周壁部３２に照射し、アウターレンズ３０を透過させるように装飾光を生じさせることができる。特に、一対のリブ１３，１４を第二発光手段の幅方向両側に配置しているため、第二発光手段からの光をより前側に集中させて照射することができる。
【００４１】
そして、一対のリブ１３，１４の第二光源部１２側（第二発光手段側）の内面は、白色面又は鏡面として構成されている。この構成によれば、第二発光手段からの光が横に漏れ出すことを抑えて、よりアウターレンズ３０側に光を集めることができる。
【００４２】
また、回転軸Ａ１の方向を上下方向とし、回転軸Ａ１と直交する所定方向を前後方向としたとき、第一光源部１１は、回転体３の上方又は下方に配置され、且つ上下方向に沿ってインナーレンズ２０を透過する光を照射する構成となっており、第二光源部１２は、回転体３の後方においてアウターレンズ３０の周壁部３２と対向して配置され且つアウターレンズ３０及びインナーレンズ２０を透過するように前方側に光を照射する構成となっている。このようにすることで、向きが大きく異なる第一発光手段及び第二発光手段からの光をインナーレンズ２０及びアウターレンズ３０付近に集めつつそれぞれ照射させ、回転体３において、より複雑な光を生じさせやすくなる。
【００４３】
また、拡散シート５は、回転体３の周囲に少なくとも部分的に配置される拡散シートとして構成され、且つ回転軸Ａ１の方向に対して傾斜した凹状又は凸状の線状部５ａが、所定間隔ごとに形成されており、線状部５ａは、回転体３の回転方向に進むにつれて下位置となるように傾斜している。このようにすることで、回転体３の回転に応じて線状部５ａへの光の入射位置、入射高さ等が変化させることができ、光の揺らぎや緩やかな移動を生じさせやすくなる。
【００４４】
[第２実施形態]
第２実施形態について、図９、図１０等を参照して説明する。図９に示す第２実施形態の光装飾装置１は、拡散シートの構成のみが第１実施形態と異なり、それ以外は第１実施形態と同一である。従って、第１実施形態と同一の部分については詳細な説明は省略する。また、拡散シート以外の部品（第１実施形態と同一の部品）は、第１実施形態と同一の符号を付すこととする。
【００４５】
本構成の光装飾装置１は、光透過性を有するインナーレンズ２０と、光透過性を有すると共にインナーレンズ２０の外側に所定の間隔を隔てて配置されるアウターレンズ３０とを備え、所定の回転軸Ａ１を中心として回転可能に構成された回転体３と、回転軸Ａ１を中心として回転体３を回転させる駆動源７と、回転体３の回転半径方向外側において回転体３から離間した位置に配置される拡散シート２０５と、インナーレンズ２０に向けて光を照射する第一光源部１１と、アウターレンズ３０に向けて光を照射する第二光源部１２とを有している。
【００４６】
本構成で用いられる拡散シート２０５は、図９、図１０のように、円筒状に構成される拡散シート２０５の周方向の所定範囲（回転体３の前方に位置する範囲）が光透過性を有する拡散領域２０８として構成され、拡散領域２０８の両側（回転体３の幅方向両側）の部分は、遮光性領域２０６、２０７として構成されている。このように、回転体３の周囲の一部分のみを選択的に拡散領域とするような構成であってもよい。
【００４７】
［他の実施形態]
本発明は上記記述及び図面によって説明した実施形態に限定されるものではなく、例えば次のような実施形態も本発明の技術的範囲に含まれる。
【００４８】
本発明の光装飾装置は、遊技機の装飾部品に限られるものではなく、例えばゲーム装置などの装飾として用いられてもよく、店舗などに飾られる装飾媒体として用いられてもよい。
【００４９】
上記実施形態では、赤色やオレンジ色などの赤色系の光を回転体に照射して炎や火の粉などを表現したが、青色や水色などの青色系の光を回転体に照射して水、水しぶき、水流などを表現してもよい。或いは、回転体を逆回転させて、白色系の光を回転体に照射して雪などが降る様を表現することができる。
【００５０】
上記実施形態では、第一光源部１１が回転体３の下方に配置された例を示したが、回転体の上方に第一光源部１１が配置され、インナーレンズに光を照射するような構成であってもよい。例えば、第１実施形態の構成を上下逆さまにした構成などであってもよい。
【００５１】
上記実施形態の回転体３では、インナーレンズ２０とアウターレンズ３０を一体に回転（同期）させているが、ギアを介在させる等によりインナーレンズとアウターレンズの回転速度を異ならせるようにしてもよい。これにより、光の変化の多様化が可能となる。
【００５２】
上記実施形態の回転体３では、インナーレンズ２０とアウターレンズ３０を同一の駆動源７によって一体的に回転させていたが、インナーレンズとアウターレンズとをそれぞれ独立して回転可能とし、これらを個々に駆動源で回転させてもよい。
【００５３】
上記実施形態では、複数の分割上面部２２ａは、周方向に進むにつれて漸次高さが大きく又は小さくなるように構成されていたが、複数の分割上面部２２ａは、高さがランダムに相違していてもよい。
【符号の説明】
【００５４】
１…光装飾装置
３…回転体
５…拡散シート（拡散部材）
５ａ…線状部
７…駆動源
１１…第一光源部（第一発光手段）
１２…第二光源部（第二発光手段）
１３，１４…リブ
１５…基板取付部材（保持部材）
２０…インナーレンズ
２２…上面部
２２ａ…分割上面部（分割面部）
３０…アウターレンズ
３２…周壁部
Ａ１…回転軸
【図１】
0005934681.tif 000002
【図２】
0005934681.tif 000003
【図３】
0005934681.tif 000004
【図４】
0005934681.tif 000005
【図５】
0005934681.tif 000006
【図６】
0005934681.tif 000007
【図７】
0005934681.tif 000008
【図８】
0005934681.tif 000009
【図９】
0005934681.tif 000010
【図１０】
0005934681.tif 000011